(57)【要約】  【課題】  小型であり、かつ電気的に確実に接続される構造を有するコネクタを提供する。  【解決手段】  コネクタ１は雄コネクタ１０と雌コネクタ２０とを備える。雄コネクタ１０と雌コネクタ２０とを差し込み方向に差し込んで結合する場合、厚肉部を雄コネクタ１０側に押し込みつつ、段付き開口部の幅狭開口に厚肉部を通過させながら幅広開口に尖り先端部を通過させ、尖り先端部の通過後に厚肉部が幅狭開口内で外側と連通した状態で係止固定されるようなコネクタとする。【選択図】  図１
2006253078.tif 000002
【特許請求の範囲】
【請求項１】
第１コネクタの係止部と第２コネクタの被係止部とを係止させて結合させるコネクタであって、
前記係止部は、
一端が第１コネクタから突出するとともに他端が開放端となるＬ字状の弾性体であり、開放端が第１コネクタと離接する弾性方向に移動するＬ字状片と、
Ｌ字状片の開放端に設けられ、弾性方向に厚く形成される厚肉部と、
Ｌ字状片の先端であって厚肉部の両側に形成される尖り先端部と、を備え、
前記被係止部は、
第２コネクタ側の幅広開口と、この幅広開口に隣接するとともに外側に開放される幅狭開口と、が形成される段付き開口部を備え、
第１コネクタと第２コネクタとを差し込み方向に差し込んで結合する場合、厚肉部を第１コネクタ側に押し込みつつ段付き開口部の幅狭開口に厚肉部を通過させながら幅広開口に尖り先端部を通過させ、尖り先端部の通過後に厚肉部が幅狭開口内で外側と連通した状態で係止固定されることを特徴とするコネクタ。
【請求項２】
請求項１に記載のコネクタにおいて、
第１コネクタの誘導部と第２コネクタの被誘導部とにより機械的に位置決めしつつ接続部と被接続部とを接続させて結合させるコネクタであって、
前記誘導部は、
ピン収容穴が設けられた誘導ベース部を備え、
前記被誘導部は、
誘導ベース部が挿通される誘導ベース部収容穴と、
ピン受け収容穴が設けられたピン受け収容円筒部と、
を備え、
誘導ベース部が誘導ベース部収容穴に入り込み、かつ、ピン受け収容円筒部がピン収容穴に入り込んで差し込み方向に誘導されることを特徴とするコネクタ。
【請求項３】
請求項２記載のコネクタにおいて、
ピンおよびピン受けが複数組あって複数のピン収容穴および複数のピン受け収容円筒部が形成される場合、あるピン収容穴の内周に誘導溝を、また、対応するあるピン受け収容円筒部の外周に誘導キーを、それぞれ備えることを特徴とするコネクタ。
【発明の詳細な説明】
【技術分野】
【０００１】
本発明は、電気的接続を行うために結合するコネクタに関する。
【背景技術】
【０００２】
メタルケーブル通信線、光ケーブル通信線、または、電力線の接続を容易に行うため、コネクタが用いられている。このようなコネクタの従来技術として、例えば、特許文献１（特開平１１−６４６７８号公報，発明の名称「光コネクタ」）に記載されたものが知られている。
【０００３】
この光コネクタは、簡単な構成で相手方の雌コネクタと容易に嵌合させることができるものである。この光コネクタは、特に長尺のロッキングアームの先端に相手方の雌コネクタを係止する係止突起を有するロック部を備える。また、相手方となる雌コネクタは、係止突起が嵌め込まれる係止孔を備える。雌コネクタに光コネクタを嵌合させるとき、ロック部を変形させながら光コネクタを挿入し、係止孔に係止突起が嵌め込まれて光コネクタが雌コネクタに嵌め込まれる。
【０００４】
【特許文献１】特開平１１−６４６７８号公報（段落番号００１７，００１８、図３）
【発明の開示】
【発明が解決しようとする課題】
【０００５】
しかしながら、従来技術の光コネクタでは、係止突起が上部側壁をくぐるようにして係止孔に係止突起を嵌め込ませるためロッキングアームに弾力性を持たせる必要があり、ロッキングアームを長くする必要があった。さらに、長くしたロッキングアームを支えるため、光コネクタも長尺にする必要があった。このような制約から光コネクタや雌コネクタの小型化が困難であるという問題があった。
【０００６】
また雌コネクタに光コネクタを挿入する際、ロッキングアームの弾性変形により雌コネクタや光コネクタに力が加わりやすく接続部にも力が加わるという問題があった。力が加わったとしても接続部に影響されないようにしたいという要請があった。
【０００７】
本発明は上記問題点を解決するためのものであり、その目的は、小型であり、かつ電気的に確実に接続される構造を有するコネクタを提供することにある。
【課題を解決するための手段】
【０００８】
本発明の請求項１に係るコネクタは、
第１コネクタの係止部と第２コネクタの被係止部とを係止させて結合させるコネクタであって、
前記係止部は、
一端が第１コネクタから突出するとともに他端が開放端となるＬ字状の弾性体であり、開放端が第１コネクタと離接する弾性方向に移動するＬ字状片と、
Ｌ字状片の開放端に設けられ、弾性方向に厚く形成される厚肉部と、
Ｌ字状片の先端であって厚肉部の両側に形成される尖り先端部と、を備え、
前記被係止部は、
第２コネクタ側の幅広開口と、この幅広開口に隣接するとともに外側に開放される幅狭開口と、が形成される段付き開口部を備え、
第１コネクタと第２コネクタとを差し込み方向に差し込んで結合する場合、厚肉部を第１コネクタ側に押し込みつつ段付き開口部の幅狭開口に厚肉部を通過させながら幅広開口に尖り先端部を通過させ、尖り先端部の通過後に厚肉部が幅狭開口内で外側と連通した状態で係止固定されることを特徴とする。
【０００９】
また、本発明の請求項２に係るコネクタは、
請求項１に記載のコネクタにおいて、
第１コネクタの誘導部と第２コネクタの被誘導部とにより機械的に位置決めしつつ接続部と被接続部とを接続させて結合させるコネクタであって、
前記誘導部は、
ピン収容穴が設けられた誘導ベース部を備え、
前記被誘導部は、
誘導ベース部が挿通される誘導ベース部収容穴と、
ピン受け収容穴が設けられたピン受け収容円筒部と、
を備え、
誘導ベース部が誘導ベース部収容穴に入り込み、かつ、ピン受け収容円筒部がピン収容穴に入り込んで差し込み方向に誘導されることを特徴とする。
【００１０】
また、本発明の請求項３に係るコネクタは、
請求項２記載のコネクタにおいて、
ピンおよびピン受けが複数組あって複数のピン収容穴および複数のピン受け収容円筒部が形成される場合、あるピン収容穴の内周に誘導溝を、また、対応するあるピン受け収容円筒部の外周に誘導キーを、それぞれ備えることを特徴とする。
【発明の効果】
【００１１】
以上のような本発明によれば、小型であり、かつ電気的に確実に接続される構造を有するコネクタを提供することができる。
【発明を実施するための最良の形態】
【００１２】
続いて、本発明を実施するための最良の形態について、図に基づいて説明する。図１は本形態に係るコネクタの斜視外観図である。図２はコネクタの構造図であり、図２（ａ）は正面図、図２（ｂ）は左側面図、図２（ｃ）は右側面図、図２（ｄ）はＡ−Ａ線断面図、図２（ｅ）はＢ−Ｂ線断面図である。
本形態のコネクタ１では、図１，図２で示すように、雄コネクタ１０、雌コネクタ２０を備えている。この雄コネクタ１０および雌コネクタ２０を組み合わせて、コネクタ１を形成する。図２では、実際の使用時に用いられるケーブルカバー３０も図示されている。なお、内部構造については後述する。
【００１３】
続いて、各構成について図を参照しつつ説明する。図３は雄コネクタの構造図であり、図３（ａ）は正面図、図３（ｂ）は左側面図、図３（ｃ）は右側面図、図３（ｄ）はＣ−Ｃ線断面図、図３（ｅ）はＤ−Ｄ線断面図である。
雄コネクタ１０は、図３（ａ）〜（ｅ）で示すように、さらに本体１１、誘導部１２、係止部１３を備える。この係止部１３は、図３（ｄ）で示すように、誘導部１２を挟んで二個配置される。
【００１４】
本体１１では、図３（ｅ）で示すように、本体ベース部１１１に対し、二個の接続部収容穴１１２、二本のピン１１３、二個の留め部１１４を備える。一本のピン１１３、一個の留め部１１４で一組の接続部が設けられ、このような接続部が二組設けられる。
本体ベース部１１１は、図３（ｂ）でも明らかなように差し込み方向から見て四隅が円弧状に面取りされた略長方形状に形成される。
接続部収容穴１１２は、図３（ｂ），（ｅ）でも明らかなように本体ベース部１１１内に形成され、差し込み方向と平行な中心軸を有し、差し込み方向から見て円形の穴である。接続部収容穴１１２は、列方向に並べて二本配置されている。
ピン１１３は、差し込み方向と略平行の中心軸を有し、この接続部収容穴１１２の中心軸と一致するように内部中央に配置される。ピン１１３は、列方向に並べて二本配置されている。
留め部１１４は、ピン１１３が接続部収容穴１１２から抜け出ないようにピン１１３を固定する。
【００１５】
誘導部１２は、誘導ベース部１２１に対し、二個のピン収容穴１２２、一本の誘導溝１２３を備える。
誘導ベース部１２１は、図３（ｃ）でも明らかなように差し込み方向から見て略小判形状に形成され、外周壁面が差し込み方向と平行になされている。
ピン収容穴１２２は、誘導ベース部１２１内に形成され、中心軸が差し込み方向と平行で、差し込み方向から見て円形の穴である。このピン収容穴１２２は内周壁面が差し込み方向と平行になされている。ピン収容穴１２２は、列方向に並べて二個配置されている。
一本の誘導溝１２３は、図３（ｃ）で示すように、一方のピン収容穴１２２内において、差し込み方向と平行に形成されるキー溝である。他方のピン収容穴１２２内には誘導溝は形成されない。
【００１６】
係止部１３は、一個のＬ字状片１３１、一個の厚肉部１３２、二個の尖り先端部１３３が設けられている。
Ｌ字状片１３１は一端が固定端であり、かつ他端が開放端となるＬ字状の弾性体であり、図３（ｄ）で示すように、列垂直方向に本体ベース部１１１から突出して折れ曲がり、差し込み方向に長く伸びるように形成された部材である。開放端が誘導ベース部１２１と離接する弾性方向、つまり列垂直方向に移動するバネ体として形成される。
厚肉部１３２は、Ｌ字状片１３１の開放端側に設けられる。図３（ｄ）で示すように、Ｌ字状片１３１の弾性方向、つまり列垂直方向に厚く形成され、さらに図３（ａ）で示すように列方向の両側面が差し込み方向と略平行になるように形成される。
尖り先端部１３３は、差し込み方向に先細るように形成され、圧肉部１３２を挟んで列方向の両側面に二個隣接して形成される。
雄コネクタ１０はこのように構成される。
【００１７】
続いて雌コネクタ２０について図を参照しつつ説明する。図４は雌コネクタの構造図であり、図４（ａ）は正面図、図４（ｂ）は左側面図、図４（ｃ）は右側面図、図４（ｄ）はＥ−Ｅ線断面図、図４（ｅ）はＦ−Ｆ線断面図である。
雌コネクタ２０は、図４（ａ）〜（ｅ）で示すように、さらに本体２１、被誘導部２２、被係止部２３を備える。この被係止部２３は、図４（ｄ）で示すように被誘導部２２を挟んで二個配置される。
【００１８】
本体２１では、本体ベース部２１１に対し、二本の接続部収容穴２１２、二本のピン受け２１３、二個の留め部２１４を備える。一本のピン受け２１３、一個の留め部２１４で一組の被接続部が設けられ、このような被接続部が二組設けられる。
本体ベース部２１１は、図４（ｃ）でも明らかなように四隅が半円に面取りされた略長方形状に形成される。
接続部収容穴２１２は、図４（ｃ），（ｅ）でも明らかなように、本体ベース部２１１内に形成され、差し込み方向と平行な中心軸を有する断面円形の穴である。
ピン受け２１３は、上記の断面円形の接続部収容穴２１２の内部中央に配置される。このピン受け２１３は差し込み方向と平行の中心軸を有する穴２１３ａを備えている。
留め部２１４は、ピン受け２１３が接続部収容穴２１２から抜け出ないようにピン受け２１３を固定する。
【００１９】
被誘導部２２は、一個の誘導ベース部収容穴２２１、二本のピン受け収容円筒部２２２、二空間のピン受け収容穴２２３、一本の誘導キー２２４を備える。
誘導ベース部収容穴２２１は、本体ベース部２１１内に形成され、図４（ｂ）でも明らかなように略小判形状の穴であって内周壁面が差し込み方向と平行になされた内部空間である。
ピン受け収容円筒部２２２は、誘導ベース部収容穴２２１内に形成されるものであり、差し込み方向と平行な中心軸を有し、差し込み方向から見て円形の円筒である。内周壁面および外周壁面が差し込み方向と略平行になされている。
ピン受け収容穴２２３は、ピン受け収容円筒部２２２の中心軸と同心状に形成され、差し込み方向と略平行な中心軸を有し、差し込み方向から見て円形の穴である。穴内にはピン受け２１３が配置されている。
【００２０】
被係止部２３は、段付き開口部２３１、幅広開口２３２、幅狭開口２３３を備える。
段付き開口部２３１は、図４（ｂ），（ｄ）で示すように、列垂直方向に本体ベース部２１１から突出し、列方向に折れ曲がるように形成されたＬ字状係止片を二個列対向させてなるものであり、さらに傾斜部２３１ａが形成される。
幅広開口２３２は、本体ベース部２１１側に形成される開口であり、後述するがＬ字状片１３１および尖り先端部１３３（図３（ｄ）参照）を通過させるための開口である。
幅狭開口２３３は外側に形成される開口であり、厚肉部１３２（図３（ｄ）参照）を通過させるための開口である。幅広開口２３２と幅狭開口２３３とを併せて略凸字状の開口となる。さらに幅狭開口２３３は開放されて外側と連通している。
【００２１】
このような雄コネクタ１０および雌コネクタ２０では、図３（ｅ）の誘導部１２の小判形状の誘導ベース部１２１の外側形状と、図４（ｅ）の被誘導部２２の小判形状の誘導ベース部収容穴２２１の開口形状とは略一致し、さらに図４（ｅ）の被誘導部２２の円形状のピン受け収容円筒部２２２の外側形状と、図３（ｅ）の誘導部１２の円形状のピン収容穴１２２の開口形状とは略一致し、ぞれぞれ嵌め込み可能になされている。
【００２２】
続いて、コネクタ１の接続について説明する。
図５（ａ），（ｂ）で示すように、雄コネクタ１０、雌コネクタ２０を対向させて近づけると、まず、誘導部１２と被誘導部２２とが嵌め込まれる。この際、ピン収容穴１２２の内周に誘導溝１２３を、また、対応するあるピン受け収容円筒部２２２の外周に誘導キー２２４を形成したため、取付け位置を間違えることはない。
具体的には、図４（ｅ）の被誘導部２２の円形状のピン受け収容円筒部２２２が、図３（ｅ）の誘導部１２の円形状のピン収容穴１２２に入り込みつつ、さらにこの誘導部１２の小判形状の誘導ベース部１２１が、図４（ｅ）の被誘導部２２の小判形状の誘導ベース部収容穴２２１に入り込んでこれらが互いに移動方向を差し込み方向にのみ限定しつつ移動させる。この状態で差し込むと移動方向が差し込み方向のみに拘束される。このような拘束により、差し込み方向以外への力が加わっても、接続部および被接続部に差し込み方向以外への力が加わらないようになる。
【００２３】
さらに差し込むと、図４（ｅ）のピン受け２１３の穴部２１３ａ内に、図３（ｅ）のピン１１３が入り込む。また、図３（ｄ）の係止部１３の厚肉部１３２が、図４（ｂ）の被係止部２３の幅狭開口２３３に入り込む。
さらに差し込むと図３（ｄ）の尖り先端部１３３の傾斜面と図４（ｄ）の傾斜部２３１ａが当接する。
【００２４】
図３（ｄ）の尖り先端部１３３の傾斜面と図４（ｄ）の傾斜部２３１ａが当接した後でさらに差し込む場合、厚肉部１３２を誘導ベース部１２１側に押し込み、また、図４（ｄ）の傾斜部２３１ａから図３（ｄ）の尖り先端部１３３への誘導ベース部１２１側へ向かう力が加わり、これらが相俟ってＬ字状片１３１が誘導ベース部１２１側へ移動するように弾性変形する。このような状態でさらに差し込むと、段付き開口部２３１の幅狭開口２３３を厚肉部１３２が通過しながら、図３（ｄ）の尖り先端部１３３が図４（ｄ）の幅広開口２３２の傾斜部２３１ａをくぐり抜ける。そして尖り先端部１３３の通過後にＬ字状片１３１が弾性力により元に戻る、つまり誘導ベース部１２１から離れる側へ変位して、、図１，図２（ａ）〜（ｅ）のように、厚肉部１３２が幅狭開口２３３内で外側と連通した状態で係止固定される。
コネクタ１の結合はこのようにして行われる。
【００２５】
以上コネクタについて説明した。
なお、本形態では、特に係止部１３が設けられる第１コネクタを雄コネクタ１０とし、また、被係止部２３が設けられる第２コネクタを雌コネクタ２０として、説明した。
しかしながら、図示しないが、上記のような係止部を雌コネクタに、また、上記のような被係止部を雌コネクタに設けても良い。これは事情に応じて適宜選択が可能である。
また、本発明に係るコネクタは、メタルケーブル通信線、光ケーブル通信線、または、電力線の接続用途で用いることができるが、特に高圧電源用途に好適である。
【００２６】
このような本発明に係るコネクタでは、厚肉部１３２が形成されているため、以下のような利点がある。
（１）Ｌ字状片１３１は厚肉部１３２が形成された開放端では変形量が大きいものであるが、厚肉部１３２により機械的に補強され変形が大きくても変形・破壊に至らないようにすることができる。このため弾性が大きくなくとも良く、Ｌ字状片１３１の小型化が可能となる。
（２）Ｌ字状片１３１は厚肉部１３２が形成された箇所では、図３（ｄ）の尖り先端部１３３が図４（ｄ）の傾斜部２３１ａをくぐり抜けるため、下側へ移動させる必要があるが、常に幅狭開口２３３を介して手指と接する厚肉部１３２を押圧して力を入れることは容易である。
【００２７】
また雌コネクタと雌コネクタとを挿入する際に上記のように誘導部と被誘導部とで誘導するため、以下のような利点がある。
（１）上記のようにＬ字状片１３１を短くしたため、本体ベース部１１１に従来よりも強い力が作用するが、誘導部と被誘導部と機械的に拘束して差し込み方向以外には移動できないようにしているため、ピン１１３とピン受け２１３には不要な力が加わらない。
（２）さらに誘導部と被誘導部とでは、あるピン収容穴の内周に誘導溝を、また、対応するあるピン受け収容円筒部外に誘導キーを形成したため、誤接続が防止される。
【図面の簡単な説明】
【００２８】
【図１】本発明を実施するための最良の形態に係るコネクタの斜視外観図である。
【図２】コネクタの構造図であり、図２（ａ）は正面図、図２（ｂ）は左側面図、図２（ｃ）は右側面図、図２（ｄ）はＡ−Ａ線断面図、図２（ｅ）はＢ−Ｂ線断面図である。
【図３】雄コネクタの構造図であり、図３（ａ）は正面図、図３（ｂ）は左側面図、図３（ｃ）は右側面図、図３（ｄ）はＣ−Ｃ線断面図、図３（ｅ）はＤ−Ｄ線断面図である。
【図４】雌コネクタの構造図であり、図４（ａ）は正面図、図４（ｂ）は左側面図、図４（ｃ）は右側面図、図４（ｄ）はＥ−Ｅ線断面図、図４（ｅ）はＦ−Ｆ線断面図である。
【図５】コネクタの斜視分解図であり、図５（ａ）は雌コネクタの接続面を示す図、図５（ｂ）は雄コネクタの接続面を示す図である。
【符号の説明】
【００２９】
１：コネクタ
１０：雄コネクタ
１１：本体
１１１：本体ベース部
１１２：接続部収容穴
１１３：ピン
１１４：留め部
１２：誘導部
１２１：誘導ベース部
１２２：ピン収容穴
１２３：誘導溝
１３：係止部
１３１：Ｌ字状係止片
１３２：厚肉部
１３３：尖り先端部
２０：雌コネクタ
２１：本体
２１１：本体ベース部
２１２：接続部収容穴
２１３：ピン受け
２１３ａ：穴部
２１４：留め部
２２：被誘導部
２２１：誘導ベース部収容穴
２２２：ピン受け収容円筒部
２２３：ピン受け収容穴
２２４：誘導キー
２３：被係止部
２３１：段付き開口部
２３１ａ：傾斜部
２３２：幅広開口
２３３：幅狭開口
３０：ケーブルカバー
【図１】
2006253078.tif 000003
【図２】
2006253078.tif 000004
【図３】
2006253078.tif 000005
【図４】
2006253078.tif 000006
【図５】
2006253078.tif 000007